(57)【要約】【課題】スイング扉の開放角度を簡単に変更する。【解決手段】スイング扉２０は、断熱箱体１２の上下に離間配置した上下のヒンジ部材３０,４０により、回動可能で、かつ第１状態から第１寸法Ｓ１だけ上方に移動可能に保持される。また、スイング扉２０の下面には下ストッパ２２が設けられ、下ストッパ２２の下端２２ａは、スイング扉２０の第１状態において、下ヒンジ部材３０の下支持片３４から下側へ第１寸法Ｓ１より小さい第２寸法Ｓ２で突出している。そして下ストッパ２２は、スイング扉２０の第１状態においての開放によって下係止部３８に対し第１開放角度で当接すると共に、スイング扉２０を第１状態から上方に第２寸法Ｓ２だけ変位した第２状態において、下係止部３８に当接しない上方に位置するよう構成される。【選択図】図８
2007291775.tif 000002
【特許請求の範囲】
【請求項１】
開口部(12a)が開設された箱体(12)に上下に離間配置されて、該開口部(12a)を閉成する扉(20)を、回動可能で、かつ第１状態から上方に第１寸法(S1)以上移動可能に保持する一対のヒンジ部材(30,40)と、
前記扉(20)の下部に突設され、該扉(20)の第１状態において下端(22a)が、前記下ヒンジ部材(30)における扉(20)の下面と対向する支持面(34)から下側へ前記第１寸法(S1)より小さい第２寸法(S2)で位置する下ストッパ(22)と、
前記下ヒンジ部材(30)の前側に前記支持面(34)と同一または下方に設けられ、第１状態の前記扉(20)を閉成位置から開放した際に前記下ストッパ(22)が当接して該扉(20)を第１開放角度(α1)で保持する下係止部(38)とを備え、
前記扉(20)を第１状態から上方に第２寸法(S2)以上変位させて、前記下ストッパ(22)の下端(22a)を前記支持面(34)の上方に臨ませた第２状態において、該扉(20)の前記第１開放角度(α1)を越える回動を許容するよう構成した
ことを特徴とする扉の支持構造。
【請求項２】
前記扉(20)の上面に上ストッパ(23)が突設されると共に、前記上ヒンジ部材(40)には、第２状態の前記扉(20)を開放した際に前記上ストッパ(23)が当接して該扉(20)を前記第１開放角度(α1)より大きい第２開放開度(α2)で保持する上係止部(48)が設けられている請求項１記載の扉の支持構造。
【請求項３】
前記扉(20)を第２状態で第１開放角度(α1)を越えて回動した際に、前記下ストッパ(22)は前記下ヒンジ部材(30)の支持面(34)で支持される請求項１または２記載の扉の支持構造。
【発明の詳細な説明】
【技術分野】
【０００１】
この発明は、冷蔵ショーケース等の本体をなす箱体に設けられる開口部を閉成する扉を、箱体に対し回動可能に保持する支持構造に関するものである。
【背景技術】
【０００２】
食品や飲料品等の物品を冷蔵または冷凍して保存する貯蔵庫としては、例えばショッピングセンタやコンビニエンスストア等に設置されている冷蔵ショーケースがある。図１３に例示する冷蔵ショーケース１１は、内箱１３と外箱１４とに画成される空間部分に断熱材１５を発泡充填して本体としての断熱箱体１２が形成され、この断熱箱体１２の内部には、物品を収納するための収納室１６が画成される。また、断熱箱体１２の前面には、収納室１６に連通する略矩形状の開口部１２ａが開設され、この開口部１２ａはスイング扉２０により開閉可能に閉成される(図１４(ａ)参照)。スイング扉２０は、断熱箱体１２における開口部１２ａを挟む上下に離間配置した一対のヒンジ２５,２６により、その一側部(右側)が断熱箱体１２に対し回動可能に保持される。
【０００３】
前記冷蔵ショーケース１１では、スイング扉２０を開放した際に、他の設置機器等との干渉を防止するために、スイング扉２０を所定の開放角度で開放規制するストッパ機構が設けられる。ストッパ機構としては、図１４に例示するように、断熱箱体１２の上面とスイング扉２０の上面との間に架設した平板状のストッパ部材２７により、スイング扉２０の開放角度を規制する構成がある。このストッパ部材２７は、一端をスイング扉２０の上面に回動可能に連結すると共に、長辺に沿って開設した長孔２７ａを介して、ネジ２８を断熱箱体１２の上面に設けたネジ孔１２ｂに螺合することで、一端を長孔２７ａに沿って断熱箱体１２に対し移動可能に保持される。そして、ストッパ部材２７は、スイング扉２０の開放に伴って全体として移動して、長孔２７ａにおける他端側にネジ２８が係合することで、スイング扉２０の開放を規制している。
【０００４】
前記断熱箱体１２の上面には、複数のネジ孔１２ｂ,１２ｂが左右方向に離間して設けられ、ネジ孔１２ｂを適宜選択してストッパ部材２７の長孔２７ａに挿通したネジ２８を螺合することで、異なる開放角度でスイング扉２０を開放規制し得るようになっている。すなわち、上ヒンジ２６から遠い側のネジ孔１２ｂに長孔２７ａを介してネジ２８を螺合してストッパ部材２７の他端を保持することで、スイング扉２０が第１の開放角度(例えば８５°程度)で開放規制される(図１４(ｂ)参照)。一方、上ヒンジ２６に近い側のネジ孔１２ｂに長孔２７ａを介してネジ２８を螺合してストッパ部材２７の他端を保持することで、スイング扉２０が、第１の開放角度より広い第２の開放角度(例えば１００°程度)で開放規制される(図１４(ｃ)参照)。
【０００５】
別のストッパ機構としては、扉の上部を回動可能に支持する丁番における丁番軸の先端をＬ字状に折曲すると共に、丁番軸の周りに設けた複数の扉開角度調整用穴の一つにボルト状の角度調整用軸を螺合し、丁番軸の先端と角度調整用軸とが当接することで、扉の開放を規制する構成も提案されている(例えば、特許文献１参照)。
【特許文献１】実開昭６３−１０４９８４号公報
【発明の開示】
【発明が解決しようとする課題】
【０００６】
前述したストッパ機構の何れも、工具なしでは着脱できないネジやボルト等の締結部材を利用する構成であるから、スイング扉２０の開放角度の変更作業に際して、工具を用いて締結部材を取外して別のネジ孔等に再度螺合する必要が有り、手間がかかる難点がある。また、ストッパ機構は、収納室の内部から物品を出入れするために最低限必要な９０°前後の開放角度で、通常はスイング扉２０を開放規制するように設定される。図１４(ｃ)に示すように、スイング扉２０を９０°前後の開放角度で開放規制した場合、スイング扉２０におけるヒンジ２５,２６側の側縁が開口部１２ａの前側に位置するから、開口部１２ａの左右幅と略同一に設定した棚部材１８の出入れに際して、スイング扉２０と干渉することがあり、棚部材１８の設置位置の変更を行ない難い。しかし、断熱箱体１２の外形寸法やヒンジ２５,２６とスイング扉２０との関係等を変更することは困難であるから、これに対処するには開口部１２ａの左右幅を小さくしたり、または棚部材１８の左右幅を小さくすることが考えられるが、その場合は物品の収納空間や載置スペースが小さくなる不都合がある。
【０００７】
すなわち本発明は、従来の技術に係る扉の支持構造に内在する前記問題に鑑み、これらを好適に解決するべく提案されたものであって、扉の開放角度を簡単に変更し得る扉の支持構造を提供することを目的とする。
【課題を解決するための手段】
【０００８】
前記課題を克服し、所期の目的を達成するため、本願の請求項１に係る発明の扉の支持構造は、
開口部が開設された箱体に上下に離間配置されて、該開口部を閉成する扉を、回動可能で、かつ第１状態から上方に第１寸法以上移動可能に保持する一対のヒンジ部材と、
前記扉の下部に突設され、該扉の第１状態において下端が、前記下ヒンジ部材における扉の下面と対向する支持面から下側へ前記第１寸法より小さい第２寸法で位置する下ストッパと、
前記下ヒンジ部材の前側に前記支持面と同一または下方に設けられ、第１状態の前記扉を閉成位置から開放した際に前記下ストッパが当接して該扉を第１開放角度で保持する下係止部とを備え、
前記扉を第１状態から上方に第２寸法以上変位させて、前記下ストッパの下端を前記支持面の上方に臨ませた第２状態において、該扉の前記第１開放角度を越える回動を許容するよう構成したことを特徴とする。
請求項１に係る発明によれば、扉を第１開放角度で開放規制し得ると共に、扉を上方に移動するだけで、第１開放角度より大きく扉を開放することができる。すなわち、扉の開放角度の変更作業について、工具を要せず手作業で簡単に行なうことができる。
【０００９】
請求項２に係る発明は、請求項１記載の扉の支持構造において、
前記扉の上面に上ストッパが突設されると共に、前記上ヒンジ部材には、第２状態の前記扉を閉成位置から開放した際に前記上ストッパが当接して該扉を前記第１開放角度より大きい第２開放開度で保持する上係止部が設けられている。
請求項２に係る発明によれば、扉を第１開放角度より大きく開放した際に、第２開放角度で扉を開放規制することができ、扉の過度な回動を規制して扉、箱体またはヒンジ部材にかかる負担を軽減し得る。
【００１０】
請求項３に係る発明は、請求項１または請求項２記載の扉の支持構造において、
前記扉を第２状態で第１開放角度を越えて回動した際に、前記下ストッパは前記下ヒンジ部材の支持面で支持される。
請求項３に係る発明によれば、扉の第２状態において扉を第１開放角度を越えて回動する際に、下ストッパが下ヒンジ部材の支持面で支持される構成であるから、使用者が扉を支える必要はなく、使用者の負担を軽減し得る。
【発明の効果】
【００１１】
本発明に係る扉の支持構造によれば、扉を第１開放角度で開放規制し得ると共に、扉を上方に移動するだけで、第１開放角度より大きく扉を開放することができる。すなわち、扉の開放角度の変更作業について、工具を要せず手作業で簡単に行なうことができる。
【発明を実施するための最良の形態】
【００１２】
次に、本発明に係る扉の支持構造につき、好適な実施例を挙げて、添付図面を参照して以下に説明する。実施例では、扉の支持構造を、冷蔵ショーケースの本体部分をなす断熱箱体の開口部を閉成するスイング扉に対し適用する場合について説明し、説明の便宜上、図１３および１４に示した冷蔵ショーケース１１の構成要素と同一の要素については、同一の符号を使用して詳細な説明は省略する。また、各部材の説明に際して、断熱箱体１２における開口部１２ａを開設した側を前側として、前後方向を指称する。
【実施例】
【００１３】
図１に示すように、冷蔵ショーケース１０は、内箱１３と外箱１４の間にウレタン等の断熱材１５を充填してなる断熱箱体(箱体)１２の内部に、食品や飲料品等の物品を収納する収納室１６が画成される。断熱箱体１２には、前側に開放して物品の出入れ口となる開口部１２ａが収納室１６に連通して開設される。また、内箱１３の両側壁面には、対になった棚受(図示せず)が上下方向に離間して複数設けられて、収納室１６に収納する物品の載置部分となる棚部材１８が、対向する棚受で支持される(図４〜図７参照)。棚部材１８は、載置スペースを大きく確保するために開口部１２ａの幅寸法と略同一に設定され、上下の棚受の何れかを選択して棚部材１８を設置することで、載置する物品に応じて収納室１６における上下の設置位置を変えることができる。なお、断熱箱体１２の下方には、機械室を内部画成したキャビネットが設けられ、機械室には圧縮機や凝縮器および凝縮器用ファン等からなる冷却装置(何れも図示せず)が収納されて、冷却装置を運転することで収納室１６を冷却するよう構成される。
【００１４】
前記開口部１２ａは、断熱箱体１２の上下に離間配置した一対のヒンジ部材３０,４０に回動可能に支持されたスイング扉２０で閉成され、このスイング扉２０を断熱箱体１２から離間する方向へ回動して開口部１２ａを開放することで、収納室１６に対し物品の出入れが行なわれる。実施例では、断熱箱体１２の右側(一側)において開口部１２ａを挟む下部および上部に対応して、下ヒンジ部材３０と上ヒンジ部材４０とが夫々配設されて、スイング扉２０における右側の上下端部が対応のヒンジ部材３０,４０で軸支されるようになっている(図１参照)。このように、スイング扉２０は、その右側縁(一側縁)を中心として回動する右開きに設定され(図４〜図７参照)、上下のヒンジ部材３０,４０により上下方向に第１寸法Ｓ１以上(実施例では第１寸法Ｓ１に設定)移動可能に保持されている。そして、スイング扉２０は、第１寸法Ｓ１だけ上方に移動させると、下ヒンジ部材３０による下部の軸支状態が解除され、この状態において下方に移動させると、上ヒンジ部材４０による軸支状態が解除されて、断熱箱体１２から取外しが可能となっている。なお、スイング扉２０としては、収納室１６に収納された物品を外部より透かして見ることができるように、例えばスイング扉２０の外周縁を構成する枠材に複層ガラスが嵌め込まれたガラス扉が採用される。また、スイング扉２０は、断熱箱体１２の前面に臨む面(後面)の外周縁に沿って連設したパッキン２１を備え、スイング扉２０の閉成時に、パッキン２１を断熱箱体１２の前面に当接させて、開口部１２ａを密閉するようになっている(図２または図３参照)。
【００１５】
実施例のスイング扉２０の支持構造は、断熱箱体１２の上下に離間配置した一対のヒンジ部材３０,４０とスイング扉２０の上下に設けた軸受２０ａ,２０ｂからなるヒンジ機構だけではなく、スイング扉２０を所要の開放角度で開放規制するストッパ機構を備えている。ストッパ機構は、スイング扉２０に設けられるストッパ２２,２３と、対応のストッパ２２,２３が当接する係止部３８,４８とからなり、実施例のスイング扉２０では、その上下に夫々設けられている。そしてスイング扉２０は、下側のストッパ機構により第１状態において第１開放角度α１で開放規制されると共に(図４または図５参照)、該スイング扉２０の第２状態において上側のストッパ機構により、第１開放角度α１より大きい第２開放角度α２で開放規制されるよう構成されている(図６または図７参照)。なお、スイング扉２０の第１状態とは、スイング扉２０が第１寸法Ｓ１だけ上方に移動可能に上下のヒンジ部材３０,４０で保持されて、通常の使用態様で用いられる状態を云い(図８または図９参照)、第２状態とは、第１状態にあったスイング扉２０を第１寸法Ｓ１より小さい第２寸法Ｓ２以上で上方に移動させて第１開放角度α１より大きな開放が許容される状態を云う(図１０参照)。
【００１６】
前記下ヒンジ部材３０は、取付片３２と下支持片(支持面)３４との接続部分が略９０°で屈曲する側面視略Ｌ字状に形成した部材であって、下支持片３４が上側に位置する状態で取付片３２を断熱箱体１２の前面に当接させてネジ等の締結部材(図示せず)により固着されている。下支持片３４は、スイング扉２０の下面に対向して水平に延在すると共に、平面視(図３,５,７,１２参照)において右側が前側に突出する略Ｌ字形状に形成されて、当該突出部分における上面に、ボス３５とこのボス３５の中心から同軸的に突出する下支持軸３６とが設けられている。この下支持軸３６は、ボス３５からの突出寸法が、前述した第１寸法Ｓ１より短く設定されると共に、下ストッパ２２に関する第２寸法Ｓ２より長く設定される。そして、下ヒンジ部材３０は、スイング扉２０に設けられて下方に開放する下軸受２０ａに下支持軸３６を挿入して、スイング扉２０の下部を回動可能に保持するようになっており、第１状態では、スイング扉２０の下面がボス３５上に載置される(図８(ｂ)または図９(ｂ)参照)。このように、下軸受２０ａと下支持軸３６とからなる下側のヒンジ機構は、スイング扉２０を第１状態から第２寸法Ｓ２だけ上方に移動した第２状態では下軸受２０ａと下支持軸３６との軸支状態は維持されたままであって(図１０(ｂ)参照)、スイング扉２０を第１状態から第１寸法Ｓ１だけ上方に移動させると、両者２０ａ,３６の軸支状態が解除される。
【００１７】
前記下係止部３８は、下ヒンジ部材３０の前側であって、下支持片３４におけるスイング扉２０の下面に対向する上面と同一または下方に設けられ、第２状態のスイング扉２０における下ストッパ２２の回動軌跡上に位置しないようになっている。ここで実施例では、下ヒンジ部材３０において、スイング扉２０の閉成位置からの開放方向にあって、スイング扉２０の第１状態においての下ストッパ２２の回動軌跡上に位置している下支持片３４における突出部分の前面が下係止部３８として機能するようになっている。そして、スイング扉２０の第１状態において、スイング扉２０の開放によって下ストッパ２２が下係止部３８に当接して、スイング扉２０を第１開放角度α１で保持するよう構成される(図５参照)。すなわち、スイング扉２０の開放角度は、下ストッパ２２の配設位置と下係止部３８の位置等の関係から両者が当接する位置が決まり、実施例の第１開放角度α１は１００°程度に設定されている。一方、第２状態においては、下ストッパ２２の下端２２ａが下支持片３４の上方に位置して、スイング扉２０の第１開放角度α１以上の開放を許容するよう構成され、このとき下ストッパ２２の下端２２ａを下支持片３４で載置支持して、スイング扉２０の下部を保持するようになっている(図１０(ｂ)参照)。そして、スイング扉２０の閉成位置においては、下支持片３４におけるＬ字の凹み部分(下係止部３８より後方に凹む部分)に下ストッパ２２が位置して、下ヒンジ部材３０と下ストッパ２２とが干渉しないようになっている(図３または図１２参照)。
【００１８】
前記上ヒンジ部材４０は、平板状の部材であって、その前部を断熱箱体１２ａの前側に突出した状態で断熱箱体１２の上面にネジ等の締結部材で固着されて、その断熱箱体１２から突出した部分がスイング扉２０の上面に臨む上支持片４４となっている。この上支持片４４は、左右方向の中央部を前側に突出した突出部分と、左右の両側部の凹んだ肩部分とからなる平面視凸形状に形成されて、この突出部分の下面に上支持軸４６が突設されている(図１１参照)。この上支持軸４６は、上支持片４４からの突出寸法が、第１寸法Ｓ１より長く設定される。そして、上ヒンジ部材４０は、スイング扉２０に設けた上方に開放する上軸受２０ｂに上支持軸４６を挿入して、スイング扉２０の上部を回動可能に保持するようになっており、第１状態では、スイング扉２０の上面と上支持片４４の下面とが第１寸法Ｓ１以上離間するよう構成される(図８(ａ)参照)。また、上軸受２０ｂは、第１状態において、更に第１寸法Ｓ１以上の上支持軸４６の突入を許容する深さで形成される。このように、上軸受２０ｂと上支持軸４６とからなる上側のヒンジ機構は、スイング扉２０における上方への移動を第１寸法Ｓ１だけ許容するよう構成されて、下側のヒンジ機構の軸支状態を解除したもとで、スイング扉２０を下方に移動することで、両者２０ａ,３６の軸支状態が解除される。
【００１９】
前記上ヒンジ部材４０では、スイング扉２０の閉成位置からの開放方向にあって、上ストッパ２３の回動軌跡上に位置している上支持片４４における右肩部分の前面が上係止部４８として機能するようになっている。上係止部４８は、スイング扉２０の第２状態において、スイング扉２０の開放によって回動する上ストッパ２３が当接して、スイング扉２０を第２開放角度α２で保持するよう構成される(図６参照)。すなわち、スイング扉２０の第２開放角度α２は、上ストッパ２３の配設位置と上係止部４８の位置等の関係から両者が当接する位置が決まり、実施例の第２開放角度α２は１８０°程度に設定されている。また、スイング扉２０の閉成位置においては、上支持片４４における左肩部前側の凹み部分に上ストッパ２３が位置して、上ヒンジ部材４０と上ストッパ２３とが干渉しなようになっている(図１１参照)。
【００２０】
前記下側のストッパ機構は、スイング扉２０の下面に突設した下ストッパ２２と、下ヒンジ部材３０の前側に設けた下係止部３８とから構成され、前述した如く下係止部３８が下ヒンジ部材３０に一体形成されている(図１１参照)。下ストッパ２２は、側面視において略Ｌ字状を呈するアングル部材であって、スイング扉２０の右下部に設けた下軸受２０ａの左側(他側)に近接する位置に配設されている。また、下ストッパ２２は、その下端２２ａが、スイング扉２０の第１状態において、下ヒンジ部材３０におけるスイング扉２０の下面に臨む下支持片３４の上面から前記第１寸法Ｓ１より小さい第２寸法Ｓ２で突出した位置となるように設定される(図８参照)。すなわち、下ストッパ２２は、スイング扉２０を第２寸法Ｓ２だけ上方に移動すると、その下端２２ａが下ヒンジ部材３０の下支持片３４より上方に位置して、スイング扉２０の開放に際して、下支持片３４の上側を通過して下ヒンジ部材３０に設けた下係止部３８と当接しないようになっている(図７または図１０参照)。
【００２１】
前記上側のストッパ機構は、スイング扉２０の上面に突設した上ストッパ２３と、上ヒンジ部材４０の前側に設けられた上係止部４８とから構成され、前述した如く上係止部４８が上ヒンジ部材４０に一体形成されている(図１２参照)。上ストッパ２３は、側面視において略Ｌ字状を呈するアングル部材であって、スイング扉２０の右上部に設けた上軸受２０ｂの左側(他側)に近接する位置に配設されている。また、上ストッパ２３の上端２３ａは、スイング扉２０の第１状態において、上ヒンジ部材４０におけるスイング扉２０の上面に臨む上支持片(支持面)４４から上側に突出するように設定される。すなわち、上ストッパ２３は、スイング扉２０の開放に際して、上ヒンジ部材４０の前側に設けた上係止部４８と当接するようになっている(図６または図１０参照)。
【００２２】
〔実施例の作用〕
次に、実施例に係るスイング扉の支持構造の作用について説明する。冷蔵ショーケース１０は、通常の使用態様では、収納室１６の物品を出入れする際に充分な開口スペースを確保しつつ、開放したスイング扉２０について他の機器等と干渉を回避し得る第１開放角度α１で開放規制する第１状態で使用される。閉成したスイング扉２０を、使用者が左側に設けられた把手を前側に引くことで、スイング扉２０が右側の上下のヒンジ機構を支点として回動し、開口部１２ａが開放されて収納室１６の物品の出入れが許容される。この際、スイング扉２０は、下ストッパ２２が下係止部３８に当接することで、第１開放角度α１で開放規制されるから(図５または図９(ｂ)参照)、冷蔵ショーケース１０の周辺に設置した他の機器にスイング扉２０が衝突するのを防止し得ると共に、スイング扉２０が大きく開くことによるヒンジ機構への負荷を軽減し得る。
【００２３】
前記スイング扉２０は、第２寸法Ｓ２だけ上方に移動して下ストッパ２２を下支持片３４の上方に退避させることで、下ストッパ２２と下係止部３８とが当接せず、第１開放角度α１より大きな開放角度まで開放することができる。このとき、スイング扉２０は、下ストッパ２２を下支持片３４の上面で支持した状態で回動し得るから、使用者が第１開放角度α１を越えてスイング扉２０を開放する際に、スイング扉２０を常に第２状態となるように持ち上げる必要はなく、使用者の負担を軽減し得る。また、下支持軸３６および下軸受２０ａの軸支状態と、上支持軸４６および上軸受２０ｂの軸支状態とが維持されたままであるから、スイング扉２０を円滑に回動し得る。そして、上ストッパ２３が上係止部４８に当接することで、スイング扉２０が第２開放角度α２で開放規制される(図６または図１０(ａ)参照)。スイング扉２０は、第１開放角度α１より大きく開放しても第２開放角度α２で開放規制されるから、スイング扉２０と断熱箱体１２とが衝突することを避けることができ、スイング扉２０が大きく開くことによるヒンジ機構への負荷を軽減し得る。
【００２４】
このように、実施例のスイング扉２０の支持構造では、スイング扉２０の開放角度を変更する際に、スイング扉２０を上方に移動させるだけであって、ストッパ機構においてネジ等の締結部材の締結位置を変更すること等の工具を必要とする段取り替えを要しない。すなわち、簡単な作業でスイング扉２０の開放角度を変更することができるから、収納する物品の大きさに合わせて所望の開口幅を確保して、冷蔵ショーケース１０の使い勝手を向上し得る。また、下ヒンジ部材３０に下係止部３８を一体形成すると共に、上ヒンジ部材４０に上係止部４８を一体形成することで、部品点数を減らすことができ、コストの低減を図り得る。
【００２５】
ここで前記断熱箱体１２の幅寸法と、前記スイング扉２０の幅寸法および厚さと、スイング扉２０の軸支位置との関係から、断熱箱体１２に対するスイング扉２０の取付け位置が設定される。すなわち、スイング扉２０を軸支する支持軸３６,４６は、断熱箱体１２における右側壁の前側において、開口部１２ａ側に偏倚した位置に配置するのが最適であり、この場合、スイング扉２０を９０°程度(例えば第１開放角度α１)開いた状態では、支持軸３６,４６からスイング扉２０の側縁角隅部までの距離と、支持軸３６,４６からスイング扉２０の右側面までの距離を比較した場合に、前者の距離が短いため、スイング扉２０の右側縁が開口部１２ａの前側に臨むこととなる(図４,図５,図９参照)。これに対し、スイング扉２０を１８０°程度(第２開放角度α２)まで大きく開いた状態では、スイング扉２０の右側縁は、開口部１２ａの前側に位置することなく、開口部１２ａから外方に退避した断熱箱体１２における右側壁の前側に位置する(図６,図７,図１０参照)。従って、冷蔵ショーケース１０では、スイング扉２０を第２開放角度α２程度まで開放することで、開口部１２ａの幅寸法程度に設定した棚部材１８を、スイング扉２０に邪魔されることなく出入れすることができる。仮に、スイング扉２０の開放角度が変更し難い構成であれば、断熱箱体１２の外形寸法を変えることができないので、開口部１２ａの幅寸法または棚部材１８を小さくすることになるが、実施例のスイング扉２０の支持構造であれば、簡単にスイング扉２０の開放角度を変更することが可能であるから、断熱箱体１２の収納空間や棚部材１８の載置スペースの縮小を招くことはない。
【００２６】
(変更例)
実施例の構成は、以下のように変更することも可能である。
(１)実施例では、上下のヒンジ部材に支持軸を設け、これに対応する軸受をスイング扉に設けたが、これに限定されず、支持軸をスイング扉に設けると共に軸受をヒンジ部材に設ける構成であってもよい。
(２)実施例では、スイング扉の右側を上下のヒンジ機構で保持する構成であるが、スイング扉の左側を保持する構成であってもよい。
(３)実施例では、上下の係止部を対応のヒンジ部材と一体形成したが、ヒンジ部材と別体に形成してもよい。
(４)実施例では、冷蔵ショーケースの断熱箱体に実施例に係る扉の支持構造を用いてスイング扉を設ける場合について説明したが、扉を設ける対象としては、冷蔵庫、冷凍庫、保管庫等の各種箱体に適用することが可能である。
【図面の簡単な説明】
【００２７】
【図１】本発明の好適な実施例に係るスイング扉の支持構造を備えた冷蔵ショーケースを示す正面図である。
【図２】実施例のスイング扉の支持構造を備えた冷蔵ショーケースの平面図であって、スイング扉の閉成位置を示す。
【図３】実施例のスイング扉の支持構造を備えた冷蔵ショーケースの平断面図であって、スイング扉の閉成位置を示す。
【図４】実施例のスイング扉の支持構造を備えた冷蔵ショーケースの平面図であって、スイング扉が第１開放角度で開放規制された状態を示す。
【図５】実施例のスイング扉の支持構造を備えた冷蔵ショーケースの平断面図であって、スイング扉が第１開放角度で開放規制された状態を示す。
【図６】実施例のスイング扉の支持構造を備えた冷蔵ショーケースの平面図であって、スイング扉が第２開放角度で開放規制された状態を示す。
【図７】実施例のスイング扉の支持構造を備えた冷蔵ショーケースの平断面図であって、スイング扉が第２開放角度で開放規制された状態を示す。
【図８】実施例のスイング扉の支持構造を備えた冷蔵ショーケースの要部を、スイング扉の閉成位置で示す正面図であって、(ａ)は上ヒンジ部材近傍を示し、(ｂ)は下ヒンジ部材近傍を示す。
【図９】実施例のスイング扉の支持構造を備えた冷蔵ショーケースの要部を、スイング扉が第１開放角度で開放規制された状態で示す正面図であって、(ａ)は上ヒンジ部材近傍を示し、(ｂ)は下ヒンジ部材近傍を示す。
【図１０】実施例のスイング扉の支持構造を備えた冷蔵ショーケースの要部を、スイング扉が第２開放角度で開放規制された状態で示す正面図であって、(ａ)は上ヒンジ部材近傍を示し、(ｂ)は下ヒンジ部材近傍を示す。
【図１１】実施例のスイング扉の支持構造を備えた冷蔵ショーケースの上ヒンジ部材近傍を拡大して示す概略斜視図である。
【図１２】実施例のスイング扉の支持構造を備えた冷蔵ショーケースの下ヒンジ部材近傍を拡大して示す概略斜視図である。
【図１３】従来のスイング扉の支持構造を備えた冷蔵ショーケースを示す正面図である。
【図１４】従来のスイング扉の支持構造を備えた冷蔵ショーケースを示す平面図であって、(ａ)はスイング扉の閉成状態であり、(ｂ)はスイング扉の開放状態を示し、(ｃ)はスイング扉の開放角度を変更した状態を示す。
【符号の説明】
【００２８】
１２ 断熱箱体(箱体)，１２ａ 開口部，２０ スイング扉(扉)，
２２ 下ストッパ，２２ａ 下端，２３ 上ストッパ，３０ 下ヒンジ部材(ヒンジ部材)，
３４ 下支持片(支持面)，３８ 下係止部，４０ 上ヒンジ部材(ヒンジ部材)，
４８ 上係止部，Ｓ１ 第１寸法，Ｓ２ 第２寸法，α１ 第１開放角度，
α２ 第２開放開度
【図１】
2007291775.tif 000003
【図２】
2007291775.tif 000004
【図３】
2007291775.tif 000005
【図４】
2007291775.tif 000006
【図５】
2007291775.tif 000007
【図６】
2007291775.tif 000008
【図７】
2007291775.tif 000009
【図８】
2007291775.tif 000010
【図９】
2007291775.tif 000011
【図１０】
2007291775.tif 000012
【図１１】
2007291775.tif 000013
【図１２】
2007291775.tif 000014
【図１３】
2007291775.tif 000015
【図１４】
2007291775.tif 000016